(57)【要約】      （修正有）【課題】コストが低く、美麗で高級感のあるオーナメント用植物葉を提供する。【解決手段】２枚のポリエステル生地の間にボリューム付加材としてポリエステル不織布やポリエステルモノフィラメントの平織物を介在させ、これを植物の葉の形に一体に切り抜き、葉脈様の凹部形成したオーナメント用植物葉。【選択図】図１
0003171304.tif 000002
【実用新案登録請求の範囲】
【請求項１】
２枚のポリエステル生地の間にボリューム付加材としてポリエステル不織布またはポリエステル不織布とポリエステルモノフィラメントの平織物を介在させ、これを植物の葉の形に一体に切り抜き、葉脈様の凹部形成したオーナメント用植物葉。
【請求項２】
ポリエステルモノフィラメントの平織物が、経糸と緯糸が交差する部分が後加工により接合固定されているポリエステルモノフィラメントの平織物である請求項１に記載のオーナメント用植物葉。
【請求項３】
２枚のポリエステル生地がサテンもしくはタフタであり、この内植物葉の表面となるポリエステル生地がカレンダー加工による艶が付与されていることを特徴とする請求項１〜２に記載のオーナメント用植物葉。
【請求項４】
植物の葉の形が、ヒイラギの葉を根元で２枚連ねた形である請求項１〜３に記載のオーナメント用植物葉。
【請求項５】
熱または超音波によって植物葉の形に一体に打ち抜くと同時に、葉脈様の凹部形成加工を施した請求項１〜４に記載のオーナメント用植物葉。
【考案の詳細な説明】
【考案の詳細な説明】
【技術分野】
【０００１】  本考案は、菓子類を包装するときやデコレーションケーキを飾るときになど使用されるオーナメントまたはオーナメントを構成する部材として使用される植物葉に関するものである。
【背景技術】
【０００２】  従来、擬似ヒイラギ葉のようなオーナメント用植物葉として主に使用されていたのは、コート紙から植物葉形状を切り出し、これの片面に接着剤を用いて針金を取り付けた後、塗料で色付けして、その上に透明塗料を塗布したものであった。【０００３】  これは、表面が透明塗料の効果によって光沢を持ち高級感を与えるものであったが、異材料の接着や塗装では、充分な乾燥工程が必要となると同時に、製品の仕上がりもバラツキ易いなどの欠点を有していた。
【考案の概要】
【考案が解決しようとする課題】
【０００４】  美麗かつ高級感があり、コストが低いオーナメント用植物葉を提供するものである。
【課題を解決するための手段】
【０００５】  本考案は、上記課題を解決するために提案されたものであって、下記の構成からなることを特徴とする。すなわち、本考案は、２枚のポリエステル生地の間にボリューム付加材としてポリエステル不織布またはポリエステル不織布とポリエステルモノフィラメントの平織物を介在させた植物葉原反を、植物の葉の形に一体に切り抜き、葉脈様の凹部を形成したオーナメント用植物葉を提供するものである。【０００６】  上記のポリエステルモノフィラメントの平織物が、経糸と緯糸が交差する部分が後加工により接合固定されているポリエステルモノフィラメントの平織物であるオーナメント用植物葉を提供する。【０００７】  また、使用する２枚のポリエステル生地がサテンもしくはタフタであり、この内植物葉の表面となるポリエステル生地をカレンダー加工による艶が付与されているものとすることにより、高級感が向上したオーナメント用植物葉を提供する。【０００８】  また、植物葉の形が、ヒイラギの葉を根元で２枚連ねた形である上記のオーナメント用植物葉を提供する。【０００９】  更に、２枚のポリエステル生地の間にボリューム付加材を介在させた植物葉原反を植物葉の形に一体に切り抜く時、熱または超音波を用いて植物葉の形に一体に打ち抜くと同時に、葉脈様の凹部形成加工を施した上記のオーナメント用植物葉を提供する。
【考案の効果】
【００１０】  本考案のオーナメント用植物葉は、２枚のポリエステル生地とボリューム付加材を重ねた植物葉原反を植物葉の形に一体に切り抜くという簡単な工程であるため、製品の仕上がりにバラツキが少なく、製造コストを低く抑えることができる。また、ポリエステル生地をサテンやタフタとし、更にカレンダー加工により艶出ししたものを使用したり、ボリューム付加材としてポリエステルモノフィラメントの平織物とポリエステル不織布を重ねたものを使用することにより、美麗で高級感が向上したオーナメント用植物葉となる。
【図面の簡単な説明】
【００１１】
【図１】２葉ヒイラギ葉とその他部品
【図２】オーナメントヒイラギ葉
【図３】ヒイラギ葉原反の構成
【考案を実施するための形態】
【００１２】  本考案のオーナメント用植物葉において、植物葉の表面と裏面を成す２枚のポリエステル生地はどのような色でも良いし、表面と裏面で異なる色であっても良く、デザインに従って自由に選定することができる。生地の織り方にも何ら制限はないが、外観が美麗で取り扱い易く安価であることを考慮すると、サテンもしくはタフタが好ましい。２枚のポリエステル生地の内、植物葉の表面を成すポリエステル生地については、光沢があるほうが高級感が増すため、熱ロールによるカレンダー加工を施して布片面の光沢を向上させることが望ましい。
【００１３】  ２枚のポリエステル生地の間に介在させるボリューム付加材としてポリエステル不織布またはポリエステル不織布とポリエステルモノフィラメントの平織物を用いる。  ボリューム付加材として、ポリエステル不織布とポリエステルモノフィラメントの平織物を重ねたものを使用することにより、ボリューム付加材としてポリエステル不織布のみを使用する場合に比べてボリュームや形状保持性が増し、高級感が向上したオーナメント用植物葉とすることができる。
【００１４】  また、ボリューム付加材として使用するポリエステルモノフィラメントの平織物が経糸と緯糸が交差する部分が後加工により接合固定されているポリエステルモノフィラメントの平織物であれば、形状保持性が更に向上すると同時に、植物葉原反の硬さが増して取り扱い易くなるなど、好ましい効果が得られる。
【００１５】  ボリューム付加材として用いるポリエステル不織布としては、その厚さや目付（ｇ／ｍ２）に特に制限はないが、厚さが０．１〜１．０ｍｍ、目付（ｇ／ｍ２）が２０〜３００のものが適当である。カレンダー加工により全体的に圧縮されているポリエステル不織布では、その形状保持性が向上しているので好ましい。ポリエステル不織布の製造方法については、何ら制限するものではない。
【００１６】  ボリューム付加材として用いるポリエステルモノフィラメントとしては、繊度１０〜５００デニールの範囲のものが好ましいが、この範囲に限定するものではない。平織物のメッシュカウント（ｆｉｌａｍｅｎｔｓ／ｉｎｃｈ）としては、１０〜１２０のものが適当である。
【００１７】  ２枚のポリエステル生地の間にボリューム付加材としてポリエステル不織布を介在させ、これに打ち抜き型を乗せて、熱または超音波を付加しつつ圧力を掛けて植物葉様の形状に打ち抜く。このとき、打ち抜き型の外周突端部では、熱または超音波によってポリエステル生地およびポリエステル不織布、ポリエステルモノフィラメントの平織物は溶融・接着して切断され、一体化される。打ち抜き型の内側には葉脈を模したエッジが設けられており、そのエッジの突端部は打ち抜き型外周の突端部よりも低く形成されている。圧力を掛けて植物葉様の形状に打ち抜く際、打ち抜き型の外周が溶断されても、葉脈は溶断されることはなく、凹部が形成されて葉脈状の模様が残る。
【実施例】
【００１８】  オーナメント用の２葉ヒイラギ葉の実施例を引用して説明する。【００１９】  図１に本考案に関わる２葉ヒイラギ葉と、これと組み合わされる赤実およびピックを示した。また、これらを組み立てて作製したオーナメントヒイラギを図２．に示した。【００２０】  表面のポリエステル生地は緑色に染めたサテンでカレンダー加工により艶を付与したもの、裏面のポリエステル生地は染め無しの白地のサテンとした。図３．に示したように、白地サテン、ポリエステルモノフィラメントの平織物、ポリエステル不織布、緑色サテンの順序で重ねてヒイラギ葉原反とした。ここで使用したポリエステル不織布はティーロードアルファ１５１２番（目付：２７，山中産業（株）製）、ポリエステルモノフィラメントの平織物はティーロードシャープ５１００番（２６デニール，目付：２２，メッシュカウント１００，山中産業（株）製）図１．ａ）に示した２葉ヒイラギ葉の形でその内側に葉脈のエッジが設けてある打ち抜き型を取り付けた超音波打ち抜き機を用いて、４層に重ね合わせたヒイラギ葉原反を打ち抜き、オーナメント用の２葉ヒイラギ葉を得た。
【産業上の利用可能性】
【００２１】  本考案のオーナメント用植物葉は、従来のものと変わらない美麗さ、高級感を有しながら、製造コストが低く、品質が安定しているため、菓子類を包装やデコレーションケーキを飾る擬似ヒイラギ葉のようなオーナメント用の部材として活用される。
【符号の説明】
【００２２】１  ヒイラギ葉
２  葉脈
３  赤実
４  ピック
５  オーナメント（ヒイラギ）
６  緑色サテン
７  ポリエステル不織布
８  ポリエステルモノフィラメントの平織物
９  白色サテン
【図１】
0003171304.tif 000003
【図２】
0003171304.tif 000004
【図３】
0003171304.tif 000005
【手続補正書】
【提出日】平成23年8月4日(2011.8.4)
【手続補正１】
【補正対象書類名】実用新案登録請求の範囲
【補正対象項目名】請求項３
【補正方法】変更
【補正の内容】
【請求項３】
２枚のポリエステル生地がサテンもしくはタフタであり、この内植物葉の表面となるポリエステル生地がカレンダー加工による艶が付与されていることを特徴とする請求項１又は２に記載のオーナメント用植物葉。
【手続補正２】
【補正対象書類名】実用新案登録請求の範囲
【補正対象項目名】請求項４
【補正方法】変更
【補正の内容】
【請求項４】
植物の葉の形が、ヒイラギの葉を根元で２枚連ねた形である請求項１乃至３のいずれか１項に記載のオーナメント用植物葉。
【手続補正３】
【補正対象書類名】実用新案登録請求の範囲
【補正対象項目名】請求項５
【補正方法】変更
【補正の内容】
【請求項５】
熱または超音波によって植物葉の形に一体に打ち抜くと同時に、葉脈様の凹部形成加工を施した請求項１乃至４のいずれか１項に記載のオーナメント用植物葉。